(57)【要約】【課題】  本発明は、表示用基板の裏面側にレンズカット部を設けたとしても表示印刷層を簡単に印刷形成することができる表示装置を提供すること。【解決手段】  上側ケース１１０にインサート成形される表示パネル１１２と、この表示パネル１１２の背後側に設けられた複数個の遮光室１１３と、各遮光室１１３の下方に配設された光源７と、からなる表示装置において、表示パネル１１２には、複数個に区画された遮光室１１３の少なくとも一部の遮光室１１３と対応した表示パネル１１２の背面側に凹凸によるレンズカット部１１４が設けられるとともに、このレンズカット部１１４が施された箇所を除く遮光室１１３と対応した表示パネル１１２の裏面側に表示印刷層１１５が印刷形成され、レンズカット部１１４の凸部の頂点位置を表示パネル１１２の裏面と同一あるいは裏面より奥まった位置に設定してなることを特徴とする表示装置である。【選択図】  図３
2010175683.tif 000002
【特許請求の範囲】
【請求項１】
合成樹脂製の上側ケースと下側ケースとからなるケースと、前記上側ケースにインサート成形される合成樹脂製の透光性を有する表示パネルと、この表示パネルの背後側にて上側ケースと一体あるいは別体に設けられた筒状に区画された複数個の遮光室と、この遮光室の下方にそれぞれ設けられた光源と、からなる表示装置において、前記表示パネルには、複数個に区画された前記遮光室の少なくとも一部の遮光室と対応した前記表示パネルの背面側に凹凸によるレンズカット部が設けられるとともに、このレンズカット部が施された箇所を除く前記遮光室と対応した前記表示パネルの裏面側に表示印刷層が印刷形成され、前記レンズカット部の凸部の頂点位置を前記表示パネルの裏面と同一あるいは裏面より奥まった位置に設定してなることを特徴とする表示装置。
【請求項２】
前記表示パネルの裏面側に位置した前記遮光室と対向する領域外において遮光性のマスキング印刷層を印刷形成してなることを特徴とする請求項１に記載の表示装置。
【請求項３】
前記表示印刷層として、前記表示パネルの裏面側に光を拡散する拡散印刷層によって形成してなることを特徴とする請求項１または請求項２に記載の表示装置。
【請求項４】
請求項１から請求項３に記載の表示装置において、請求項４では、前記表示パネルの裏面側には、前記表示印刷層の印刷工程の前段階にて文字や記号などからなる表示部を印刷形成してなることを特徴とする請求項１から請求項３のいずれかに記載の表示装置。
【請求項５】
前記表示パネルを所定の色合いにて着色成形してなることを特徴とする請求項１から請求項４のいずれかに記載の表示装置。
【発明の詳細な説明】
【技術分野】
【０００１】
本発明は、たとえば建設機械などの特殊車両や船舶、あるいは自動車、オートバイなどの車両などの計器装置には、作動状態を点灯表示したり、あるいは船舶や車両などの異常状態を警報表示して知らせる表示装置が併備されており、この表示装置の改良構造に関するものである。
【背景技術】
【０００２】
この種の表示装置を備えた計器装置としては、たとえばオートバイなどの車両に装備される各種走行情報を表示する計器装置の一般的な構成として、たとえば下記特許文献１に記載されているものが知られている。この種の計器装置は、図示はしないが、計器装置のケース内には、速度計や燃料計などの車両の運転状況を指針によって指示する指示計器が収納され、このような指針によるアナログ的に指示する指示計器として、その計器本体の前面側に文字板を取り付け固定し、計器本体に形成された指針の指示を前記文字板の表面に設けた目盛や数値と対比して読み取るようにした指示計器であったり、あるいは図示しないが液晶表示装置などからなるデジタル表示やバーグラフ表示にて指示するディスプレイ表示による指示計器をケース内に収納固定している。
【０００３】
またケースの内部には、エンジンの油圧の状態、ライトの点灯状態、エンジンオイルのレベルの状態、あるいは燃料残量表示やギヤポジション表示などの各種車両状態を光源となるＬＥＤやランプなどを点灯させて知らせる表示装置が設けられており、この場合、前記車両などの状態を知らせる表示項目数と同数に各々区画して光源から照射光線が外部へと洩れ出ないように隔絶し、表示装置側へと光線を案内する筒状からなる複数個からなる遮光室を設け、この遮光室の前面側に設けた表示装置が設けられている。このように指示計器と各種情報を表示する表示装置の表示情報を集中して読み取ることができるものであり、判読しやすい指示計器を提供することができるという効果がある。
【０００４】
また特許文献２に記載されているように、表示装置の表示パネルとなる透光性の基板の裏面側に突出した導光部の背面側に凹凸による光散乱部（レンズカット部）が設けられることにより奥行き感と光拡散による見映えと光散乱部による輝きにより光源からの照明光が見やすくなるというメリットがある。
【先行技術文献】
【特許文献】
【０００５】
【特許文献１】特開２００３−７６２９５号公報
【特許文献２】特開２００２−２３６６９号公報
【発明の概要】
【発明が解決しようとする課題】
【０００６】
ところで、上記特許文献１や特許文献２などにおいては、特に表示用の透光性基板の背面側に凹凸からなる光拡散部を設けることによって見やすく見映えもよくなるという反面、凹凸による光拡散部（レンズカット部）が基板の裏面側から突出すると、その突出した光拡散部以外の箇所にて表示部となる記号や文字あるいは表示用の着色層などを印刷しようとした場合、部分的に突出した箇所が邪魔となってしまい印刷する上で制約を受けてしまうという問題がある。従って、このような問題を解決するために印刷という手段を用いることなく塗装によって表示部を表示用の透光性基板の背面に着色形成したり、透過性のホットスタンプにて表示部を施すようにしているため、簡単な手段である印刷という手段を用いることができないことがある。
【０００７】
本発明は前述した問題点に着目し、表示用基板の裏面側にレンズカット部が部分的に配置されたとしても表示印刷層を簡単に印刷形成することができる表示装置を提供することを目的とするものである。
【課題を解決するための手段】
【０００８】
本発明は、前記目的を達成するため、合成樹脂製の上側ケースと下側ケースとからなるケースと、前記上側ケースにインサート成形される合成樹脂製の透光性を有する表示パネルと、この表示パネルの背後側にて上側ケースと一体あるいは別体に設けられた筒状に区画された複数個の遮光室と、この遮光室の下方にそれぞれ設けられた光源と、からなる表示装置において、前記表示パネルには、複数個に区画された前記遮光室の少なくとも一部の遮光室と対応した前記表示パネルの背面側に凹凸によるレンズカット部が設けられるとともに、このレンズカット部が施された箇所を除く前記遮光室と対応した前記表示パネルの裏面側に表示印刷層が印刷形成され、前記レンズカット部の凸部の頂点位置を前記表示パネルの裏面と同一あるいは裏面より奥まった位置に設定してなることを特徴とする表示装置である。
【０００９】
このように構成することにより、表示パネルの裏面側に突出する箇所が存在しなくなったため、従来のような塗装などの煩わしい手段によって表示層を施す必要もなく、表示パネルの裏面の所定箇所に表示印刷層による印刷を簡単に施すことができる。また、任意に設定した箇所に設けられたレンズカット部によって表示装置の見映えも良好となり、見やすい表示装置を提供することができる。また本来のねらいでもある上側ケースによって表示パネルをインサート成形することで防水性、防塵性に優れた表示装置を提供することができる。
【００１０】
また請求項１に記載の表示装置において、請求項２では、前記表示パネルの裏面側に位置した前記遮光室と対向する領域外において遮光性のマスキング印刷層を印刷形成してなることを特徴とするものである。
【００１１】
このように構成することにより、表示パネルと上側ケースとのインサート成形による合わせ箇所をマスキング印刷層によって目隠しすることができるため、ケースと表示パネルとの樹脂の成形時における境目となる箇所の見映えを良好に保つことができる。
【００１２】
また請求項１または請求項２に記載の表示装置において、請求項３では、前記表示印刷層として、前記表示パネルの裏面側に光を拡散する拡散印刷層によって形成してなることを特徴とするものである。
【００１３】
このように構成することにより、表示パネルの内部側に配置される光源などが拡散印刷層によってぼやけて見づらくなり、加えて光源からの照明光が拡散印刷層によって拡散されるために部分的に明るくなってしまうという問題も解決でき、ムラのない均一的な照明効果を得ることが可能となる。
【００１４】
また請求項１から請求項３に記載の表示装置において、請求項４では、前記表示パネルの裏面側には、前記表示印刷層の印刷工程の前段階にて文字や記号などからなる表示部を印刷形成してなることを特徴とするものである。
【００１５】
このように構成することにより、表示部の領域に区画された表示印刷層を背景にして表示部を表示パネルの裏面に面した箇所に設けることによってくっきりとした見やすい表示部を表面側にて視認することができ、判別もしやすい表示装置を提供することができる。
【００１６】
また請求項１から請求項４に記載の表示装置において、請求項５では、前記表示パネルを所定の色合いにて着色成形してなることを特徴とするものである。
【００１７】
このように構成することにより、外光などが差し込んだとしても内部に設置された光源からの照明光によって見やすく表示部領域を照らし出すことが可能となり、また表示パネルの裏面側に印刷された表示部の形態などが光源の消灯時において着色された色合いにて薄暗く奥まった位置にて見えるものとなり、結果として表示部が目隠しされるように形成され、光源の点灯時において表示部が照明光によって明るく照らし出される。
【発明の効果】
【００１８】
本発明では、合成樹脂製の上側ケースと下側ケースとからなるケースと、前記上側ケースにインサート成形される合成樹脂製の透光性を有する表示パネルと、この表示パネルの背後側にて上側ケースと一体あるいは別体に設けられた筒状に区画された複数個の遮光室と、この遮光室の下方にそれぞれ設けられた光源と、からなる表示装置において、前記表示パネルには、複数個に区画された前記遮光室の少なくとも一部の遮光室と対応した前記表示パネルの背面側に凹凸によるレンズカット部が設けられるとともに、このレンズカット部が施された箇所を除く前記遮光室と対応した前記表示パネルの裏面側に表示印刷層が印刷形成され、前記レンズカット部の凸部の頂点位置を前記表示パネルの裏面と同一あるいは裏面より奥まった位置に設定してなることを特徴とする表示装置であるため、表示パネルの裏面側に突出する箇所が存在しなくなったため、表示パネルの裏面の所定箇所に表示印刷層による印刷を簡単に施すことができる。また、任意に設定した箇所に設けられたレンズカット部によって表示装置の見映えも良好となり、見やすい表示装置を提供することができる。また本来のねらいでもある上側ケースによって表示パネルをインサート成形することで防水性、防塵性に優れた表示装置を提供することができる。
【図面の簡単な説明】
【００１９】
【図１】図１は、本発明の第１の実施形態である計器装置に備え付けられた表示装置を示す正面図。
【図２】図２は、図１のＡ−Ａ線箇所を示す断面図。
【図３】図３は、図２の要部を示す拡大断面図。
【図４】図４は、図３と隣接した表示装置箇所を示す拡大断面図。
【発明を実施するための形態】
【００２０】
図１から図４は本発明の第１の実施形態を示すもので、以下、これらに基づいて本発明の実施形態をたとえば自動車に搭載される計器装置に適用した場合について説明する。
【００２１】
図１から図３において、計器装置のケース１内には、速度計などの車両の運転状況を指示する指針２による指示からなるアナログ式の指示計器３が収納され、その指示計器３の計器本体４の前面側に文字板５を取り付け固定し、計器本体３に形成された指針２の指示を前記文字板５の表面に設けた目盛や数値などの指標部５ａと対比して読み取るようにした指示計器３であったり、あるいは液晶表示装置などからなる時計，走行距離計などのデジタル表示や燃料計，水温計などのバーグラフ表示にて指示するディスプレイ表示部６ａによる指示計器６をケース１内に収納固定している。
【００２２】
またケース１の内部には、エンジンの油圧の状態、ライトの点灯状態、エンジンオイルのレベルの状態、あるいは燃料残量表示やバッテリの状態などの各種車両状態をＬＥＤやランプなどによる光源７を点灯させて知らせる表示装置８が設けられている。
【００２３】
なお、ケース１内には回路基板９が配設され、この回路基板９上に指示計器３の計器本体４、ディスプレイ表示による指示計器６、表示装置８の光源７などが実装されている。
【００２４】
またケース１は、合成樹脂製の上側ケース１１０と下側ケース１２０とから形成され、上側ケース１１０には、アナログ式の指針２による指示からなる指示計器３やディスプレイ表示部６ａによる指示計器６などを視認するために透明な樹脂板からなるカバープレート１１１がインサート成形などの手段によって一体成形されて設けられるとともに、各種車両状態を光源７の点灯によって知らせる表示装置８に設けられた合成樹脂製の透光性を有する透明な表示パネル１１２が前記カバープレート１１１と同様にしてインサート成形などの手段によって一体成形されている。
【００２５】
表示装置８の一部を構成する表示パネル１１２の背面側には、前記車両などの状態を知らせる表示項目数と同数に各々区画してそれぞれの光源７からの照射光線が外部へと洩れ出ないように隔絶し、表示パネル１１２側へと光線を案内する筒状からなる複数個からなる遮光室１１３が上側ケース１１０と一体に形成されている。なお、場合によっては、上側ケース１１０とは別体にして遮光室１１３を設けても良いものであり、個別に形成された遮光室１１３は上側ケース１１０と回路基板９との間に配置される。
【００２６】
また、それぞれ区画された複数個からなる遮光室１１３の位置に対応した表示パネル１１２の裏面側には、その複数個の中の少なくとも一部の箇所に凹凸によるレンズカット部１１４が設けられ、このレンズカット部１１４を施した箇所を除く遮光室１１３に対応する表示パネル１１２の裏面側には、表示印刷層１１５が印刷形成されている。この表示印刷層１１５として、灰色系の色合いからなる光を拡散するための拡散印刷層１１５ａが印刷形成されている。
【００２７】
表示パネル１１２の裏面に設けられるレンズカット部１１４は、凹凸からなるレンズカット部１１４の凸部の頂点位置が表示パネル１１２の裏面と同一面か、あるいは裏面より奥まった位置に配置されるように設定している。
【００２８】
また、表示パネル１１２の裏面側に位置した遮光室１１３と対向する領域外において、たとえば黒色からなる遮光性のマスキング印刷層１１６が印刷形成され、表示パネル１１２と上側ケース１１０とのインサート成形による合わせ箇所をマスキング印刷層１１６によって目隠しするようにしている。（図３，図４参照）
【００２９】
なお、拡散印刷層１１５ａが印刷によって施された箇所において、その一部の箇所には、拡散印刷層１１５ａの印刷工程の前段階にて文字や記号などからなる表示部１１５ｂが印刷にて形成されている。（図３を参照）この場合、表示部１１５ｂは、マスキング印刷層１１６の印刷と同時に黒色にて印刷されている。なお、場合によっては、表示部１１５ｂの印刷をマスキング印刷層１１６とは別の工程にて印刷形成しても良いものであり、表示部１１５ｂの色合いも黒色に限らず他の色合いである灰色，青色，緑色など適宜選択すればよい。
【００３０】
このように構成された第１の実施形態における表示装置にあっては、凹凸からなるレンズカット部１１４の凸部の頂点位置が表示パネル１１２の裏面と同一面か、あるいは裏面より奥まった位置に配置されるように設定されているため、表示パネル１１２の裏面側に突出するレンズカット部１１４の箇所が存在しなくなったため、従来のような塗装などの煩わしい手段によって表示層を施す必要もなく、表示パネル１１２の裏面の所定箇所に表示印刷層１１５による印刷を簡単に施すことができる。また、任意に設定した箇所に設けられたレンズカット部１１４によって表示パネル１１２に設けられた表示部箇所の見映えも良好となり、見やすい表示装置８を提供することができるものであり、また本来のねらいでもある上側ケース１１０によって表示パネル１１２をインサート成形することで防水性、防塵性に優れた表示装置を提供することができる。
【００３１】
また表示パネル１１２の裏面側に位置した遮光室１１３と対向する領域外において、遮光性のマスキング印刷層１１６を印刷形成することにより、表示パネル１１２と上側ケース１１０とのインサート成形による合わせ箇所をマスキング印刷層１１６によって目隠しすることができるため、上側ケース１１０と表示パネル１１２との樹脂の成形時における境目となる箇所の見映えを良好に保つことができる。
【００３２】
また本実施形態における表示印刷層１１５として、表示パネル１１２の裏面側に光を拡散する拡散印刷層１１５ａによって形成してなることにより、表示パネル１１２の内部側（背後側）に配置される光源７などが拡散印刷層によってぼやけて見づらくなり、加えて光源７からの照明光が拡散印刷層１１５ａによって拡散されるために部分的に明るくなってしまうという問題も解決でき、ムラのない均一的な照明効果を得ることが可能となる。
【００３３】
また表示パネル１１２の裏面側には、表示印刷層１１５の印刷工程の前段階にて文字や記号などからなる表示部１１５ｂを印刷形成してなることにより、表示部１１５ｂの領域に区画された表示印刷層１１５を背景にして表示部１１５ｂを表示パネル１１２の裏面に面した箇所に設けることによってくっきりとした見やすい表示部１１５ｂを表面側にて視認することができ、判別もしやすい表示装置８を提供することができる。
【００３４】
なお、前述した第１の実施形態にあっては、上側ケース１１０と一体にインサート成形される表示パネル１１２として、合成樹脂製の透明な基板を用いて成形していたが、たとえば、表示パネル１１２を所定の色合いにて着色成形してなることにより、外光などが差し込んだとしても内部に設置された光源７からの照明光によって見やすく表示パネル１１２の表示部領域を照らし出すことが可能となり、また表示パネルの裏面側に印刷された表示部１１５ｂの形態などが光源７の消灯時において着色された色合いにて薄暗く奥まった位置にて見えるものとなり、結果として表示部１１５ｂが目隠しされるように形成され、光源７の点灯時において表示部１１５ｂが照明光によって明るく照らし出すことができる。また、光源７の照明色としては、たとえば白色光や青色光あるいは赤色光などを発するチップ型発光ダイオードを適宜な位置に配置することにより、所定の色合いにて透過照明することがものである。
【産業上の利用可能性】
【００３５】
また、前述した実施形態においては、その適用例として車両用計器やオートバイなどの計器装置に装備された表示装置を例にして説明したが、車両用の指示計器に限らず船舶用の計器装置あるいは農業用機械や建設機械などの特殊車両の計器装置器などに装備される表示装置などにおいても適用することが可能であり、また民生機器の表示装置たとえば、コピー機械などに装備されている表示装置などにおいても適用可能である。
【符号の説明】
【００３６】
１    ケース
２    指針
３    指示計器
４    計器本体
５    文字板
６    指示計器
７    光源
８    表示装置
９    回路基板
１１０    上側ケース
１１１    カバープレート
１１２    表示パネル
１１３    遮光室
１１４    レンズカット部
１１５    表示印刷層
１１５ａ    拡散印刷層
１１５ｂ    表示部
１１６    マスキング印刷層
１２０    下側ケース
【図１】
2010175683.tif 000003
【図２】
2010175683.tif 000004
【図３】
2010175683.tif 000005
【図４】
2010175683.tif 000006